(57)【要約】  本発明は決済インターフェース装置およびシステム、決済方法、決済サーバーに関し、商品を購入した決済者が所持した決済端末機から決済者の識別情報である決済者識別子を獲得し、獲得された決済者識別子とマッチングされるように決済者の決済情報の入力を受け、入力された決済情報に基づいて決済者に対する決済を決済サーバーに要請する販売者用インターフェースユニット、および販売者用インターフェースユニットと分離可能であり、販売者用インターフェースユニットに入力された決済情報を決済者に提供する決済者用インターフェースユニットを含むことを特徴とする。【選択図】図１
2021522634.tif 000002
【特許請求の範囲】
【請求項１】
商品を購入した決済者が所持した決済端末機から前記決済者の識別情報である決済者識別子を獲得し、前記獲得された決済者識別子とマッチングされるように前記決済者の決済情報の入力を受け、前記入力された決済情報に基づいて前記決済者に対する決済を決済サーバーに要請する販売者用インターフェースユニット；および
前記販売者用インターフェースユニットと分離可能であり、前記販売者用インターフェースユニットに入力された決済情報を前記決済者に提供する決済者用インターフェースユニット；を含むことを特徴とする、決済インターフェース装置。
【請求項２】
前記販売者用インターフェースユニットは、前記決済端末機から獲得される決済者識別子を出力して前記出力された決済者識別子とマッチングされるように前記決済情報の入力を受ける方式、または前記決済端末機から獲得される決済者識別子をあらかじめ決定されたタイプの決済者識別子に変換して出力し、前記変換出力された決済者識別子とマッチングされるように前記決済情報の入力を受ける方式を通じて前記決済情報の入力を受けることを特徴とする、請求項１に記載の決済インターフェース装置。
【請求項３】
前記販売者用インターフェースユニットは、前記獲得された決済者識別子に基づいて一つ以上の決済サービスとの連動のための一つ以上のサービス連動決済者識別子を生成し、前記生成された一つ以上のサービス連動決済者識別子のうち販売者によって選択されたサービス連動決済者識別子とマッチングされるように前記決済者の決済情報の入力を受けることを特徴とする、請求項１に記載の決済インターフェース装置。
【請求項４】
前記販売者用インターフェースユニットは、前記決済端末機に出力される決済者識別子を獲得した前記決済者用インターフェースユニットから前記決済者識別子の伝達を受けるか、前記決済端末機から前記決済者識別子が直接伝送されて獲得することを特徴とする、請求項１に記載の決済インターフェース装置。
【請求項５】
商品を購入した決済者の決済情報の入力を受けて前記決済情報の識別情報である決済情報識別子を生成した後、前記決済者が所持した決済端末機が前記生成された決済情報識別子を認識して前記決済者に対する決済を決済サーバーに要請できるように前記決済情報識別子を伝送する第１インターフェース装置；および
前記決済端末機から前記決済者の識別情報である決済者識別子を獲得し、前記獲得された決済者識別子とマッチングされるように前記決済者の決済情報の入力を受け、前記入力された決済情報に基づいて前記決済者に対する決済を前記決済サーバーに要請する第２インターフェース装置；を含み、
前記第１インターフェース装置および前記第２インターフェース装置は、前記決済者に対する決済が進行される場合に選択的に動作することを特徴とする、決済インターフェースシステム。
【請求項６】
一つ以上の移動通信端末機を含む販売者用移動通信端末部；および
前記各移動通信端末機と結合可能であり、前記各移動通信端末機に入力された、商品を購入した決済者の決済情報を前記決済者に提供する決済者用インターフェースユニット；を含み、
前記各移動通信端末機は、前記決済者用インターフェースユニットと結合された状態で、前記決済者が所持した決済端末機から前記決済者の識別情報である決済者識別子を獲得し、前記獲得された決済者識別子とマッチングされるように前記決済者の決済情報の入力を受け、前記入力された決済情報に基づいて前記決済者に対する決済を決済サーバーに要請することを特徴とする、決済インターフェースシステム。
【請求項７】
前記決済者用インターフェースユニットに結合された移動通信端末機は、前記決済者に対する決済を遂行するために要求される端末の認証のための固有認証識別子を前記決済者用インターフェースユニットから伝達を受け、前記伝達を受けた固有認証識別子に基づいて前記決済サーバーに端末の認証を要請し、その要請結果の伝達を受けて端末の認証を遂行することを特徴とする、請求項６に記載の決済インターフェースシステム。
【請求項８】
一つ以上の移動通信端末機を含む販売者用移動通信端末部、および前記各移動通信端末機と結合可能であり、前記各移動通信端末機に入力された、商品を購入した決済者の決済情報を前記決済者に提供する決済者用インターフェースユニットを含む決済インターフェースシステムを利用した決済方法であって、
前記決済者用インターフェースユニットと結合された移動通信端末機が、
前記決済者が所持した決済端末機から前記決済者の識別情報である決済者識別子を獲得する段階；
前記獲得された決済者識別子とマッチングされるように前記決済者の決済情報の入力を受ける段階；および
前記入力された決済情報に基づいて前記決済者に対する決済を決済サーバーに要請する段階；を含むことを特徴とする、決済方法。
【請求項９】
前記決済者用インターフェースユニットと結合された移動通信端末機が、
前記決済者に対する決済を遂行するために要求される端末の認証のための固有認証識別子を前記決済者用インターフェースユニットから伝達を受け、前記伝達を受けた固有認証識別子に基づいて前記決済サーバーに端末の認証を要請し、その要請結果の伝達を受けて端末の認証を遂行する段階；をさらに含むことを特徴とする、請求項８に記載の決済方法。
【請求項１０】
一つ以上の移動通信端末機を含む販売者用移動通信端末部；および
前記各移動通信端末機と結合可能であり、前記各移動通信端末機に入力された、商品を購入した決済者の決済情報を前記決済者に提供する決済者用インターフェースユニット；を含み、
前記各移動通信端末機は、前記決済者用インターフェースユニットと結合された状態で、前記決済者の決済情報の入力を受け、前記入力された決済情報の識別情報である決済情報識別子を生成して前記決済者用インターフェースユニットに伝達し、
前記決済者用インターフェースユニットは、前記決済者が所持した決済端末機が前記決済情報識別子を認識して前記決済者に対する決済を決済サーバーに要請できるように前記決済情報識別子を伝送することを特徴とする、決済インターフェースシステム。
【請求項１１】
一つ以上の移動通信端末機を含む販売者用移動通信端末部、および前記各移動通信端末機と結合可能であり、前記各移動通信端末機に入力された、商品を購入した決済者の決済情報を前記決済者に提供する決済者用インターフェースユニットを含む決済インターフェースシステムを利用した決済方法であって、
前記決済者用インターフェースユニットと結合された移動通信端末機が、
前記決済者の決済情報の入力を受ける段階；
前記入力された決済情報の識別情報である決済情報識別子を生成する段階；
前記生成された決済情報識別子を前記決済者用インターフェースユニットに伝達する段階；および
前記決済者用インターフェースユニットが、
前記決済者が所持した決済端末機が前記決済情報識別子を認識して前記決済者に対する決済を決済サーバーに要請できるように前記決済情報識別子を伝送する段階；を含むことを特徴とする、決済方法。
【請求項１２】
販売者用インターフェースユニットおよび決済者用インターフェースユニットを含む決済インターフェース装置と、商品を購入した決済者が所持した決済端末機と通信して前記決済者に対する決済を進行する決済サーバーであって、
前記決済者に対する識別情報である第１決済者識別子と、販売先に対する識別情報である第１販売先識別子を前記販売者用インターフェースユニットから伝達を受け、
正常決済状況で前記第１決済者識別子および前記第１販売先識別子とそれぞれ一致する第２決済者識別子および第２販売先識別子を前記決済端末機から伝達を受け、
前記第１決済者識別子および前記第１販売先識別子と前記第２決済者識別子および前記第２販売先識別子をそれぞれ比較して、一致する場合にのみ前記決済者の決済情報に基づいて前記決済者に対する決済を進行することを特徴とする、決済サーバー。
【請求項１３】
前記決済サーバーは、前記第１販売先識別子が前記決済者用インターフェースユニットによって変調されて生成された変調識別子を前記決済端末機を通じて伝達を受け、前記第２決済者識別子および前記伝達を受けた変調識別子を復調して抽出される前記第２販売先識別子を前記第１決済者識別子および前記第１販売先識別子とそれぞれ比較することを特徴とする、請求項１２に記載の決済サーバー。
【請求項１４】
前記変調識別子には前記決済者用インターフェースユニットによって変調される時点での時間基盤キーが反映されており、
前記決済サーバーは、前記第２決済者識別子および前記変調識別子を復調して抽出される前記第２販売先識別子を前記第１決済者識別子および前記第１販売先識別子とそれぞれ比較して一致する場合であって、前記変調識別子を復調して抽出された前記時間基盤キーの値と復調時点での時間の値との間の差があらかじめ設定された許容範囲以内である場合にのみ前記決済者に対する決済を進行することを特徴とする、請求項１３に記載の決済サーバー。
【請求項１５】
前記変調識別子は、非可聴域変調音波として生成されることを特徴とする、請求項１４に記載の決済サーバー。
【請求項１６】
前記決済サーバーは、前記販売者用インターフェースユニット、前記決済者用インターフェースユニットおよび前記決済端末機のうちいずれか一つから前記決済者の決済情報の伝達を受けることによって前記決済者に対する決済が要請されることを特徴とする、請求項１２に記載の決済サーバー。
【請求項１７】
販売者用インターフェースユニットおよび決済者用インターフェースユニットを含む決済インターフェース装置と、商品を購入した決済者が所持した決済端末機と通信して前記決済者に対する決済を進行する決済サーバーを利用した決済方法であって、
前記決済サーバーが、前記決済者に対する識別情報である第１決済者識別子と、販売先に対する識別情報である第１販売先識別子を前記販売者用インターフェースユニットから伝達を受ける段階；
前記決済サーバーが、正常決済状況で前記第１決済者識別子および前記第１販売先識別子とそれぞれ一致する第２決済者識別子および第２販売先識別子を前記決済端末機から伝達を受ける段階；および
前記決済サーバーが、前記第１決済者識別子および前記第１販売先識別子と前記第２決済者識別子および前記第２販売先識別子をそれぞれ比較して、一致する場合にのみ前記決済者の決済情報に基づいて前記決済者に対する決済を進行する段階；を含むことを特徴とする、決済方法。
【請求項１８】
商品を購入した決済者の識別情報である決済者識別子、前記決済者の決済情報、および販売先に対する識別情報である販売先識別子を変調して変調識別子を生成する販売者用インターフェースユニット；および
前記決済者が所持した決済端末機が前記変調識別子を認識して前記決済者に対する決済を決済サーバーに要請することによって、前記決済サーバーが前記変調識別子を復調して前記決済者に対する決済を進行できるように、前記販売者用インターフェースユニットから伝達を受けた前記変調識別子を伝送する決済者用インターフェースユニット；を含むことを特徴とする、決済インターフェース装置。
【請求項１９】
前記決済者は第１および第２決済者を含み、前記決済端末機は前記第１および第２決済者がそれぞれ所持した第１および第２決済端末機を含み、
前記販売者用インターフェースユニットは、前記第１決済者の識別情報である第１決済者識別子、前記第１決済者の決済情報、および前記販売先識別子を変調して第１変調識別子を生成し、前記第２決済者の識別情報である第２決済者識別子、前記第２決済者の決済情報、および前記販売先識別子を変調して第２変調識別子を生成し、
前記決済者用インターフェースユニットは、前記第１および第２決済端末機が前記第１および第２変調識別子をそれぞれ認識して前記第１および第２決済者に対する決済を前記決済サーバーに要請することによって、前記決済サーバーが前記第１および第２変調識別子を復調して前記第１および第２決済者に対する決済を進行できるように、前記販売者用インターフェースユニットから伝達を受けた前記第１および第２変調識別子を伝送することを特徴とする、請求項１８に記載の決済インターフェース装置。
【請求項２０】
前記決済者用インターフェースユニットは、第１および第２決済サービスによる決済をそれぞれ遂行するための第１および第２決済者用インターフェースユニットを含み、
前記販売者用インターフェースユニットは、前記決済者識別子、前記決済情報および前記販売先識別子を、前記第１決済サービスによるプロトコルと前記第２決済サービスによるプロトコルに基づいてそれぞれ変調して第１および第２変調識別子をそれぞれ生成し、
前記決済者用インターフェースユニットは、前記第１および第２変調識別子のうち前記決済端末機を通じて選択された決済サービスによる変調識別子を認識して前記決済者に対する決済を前記選択された決済サービスによる決済サーバーに要請できるように、前記販売者用インターフェースユニットから伝達を受けた前記第１および第２変調識別子を伝送することを特徴とする、請求項１９に記載の決済インターフェース装置。
【請求項２１】
販売者用インターフェースユニットおよび決済者用インターフェースユニットを含む決済インターフェース装置を利用した決済方法であって、
前記販売者用インターフェースユニットが、商品を購入した決済者の識別情報である決済者識別子、前記決済者の決済情報、および販売先に対する識別情報である販売先識別子を変調して変調識別子を生成する段階；および
前記決済者用インターフェースユニットが、前記決済者が所持した決済端末機が前記変調識別子を認識して前記決済者に対する決済を決済サーバーに要請することによって、前記決済サーバーが前記変調識別子を復調して前記決済者に対する決済を進行できるように、前記販売者用インターフェースユニットから伝達を受けた前記変調識別子を伝送する段階；を含むことを特徴とする決済方法。
【発明の詳細な説明】
【技術分野】
【０００１】
本発明は決済インターフェース装置およびシステム、決済方法、決済サーバーに関し、さらに詳細には、販売先に備えられる決済装置を販売先の計算係員と購買決済者のためのインターフェースに区分して、決済の便宜性を提供するための決済インターフェース装置およびシステム、決済方法、決済サーバーに関する。
【背景技術】
【０００２】
一般的にク勘定台ットカードを通じての決済システムは販売先端末機（すなわち、ＰＯＳ端末機）、ＶＡＮ中継サーバーおよびク勘定台ットカード決済サーバーで構成され、ク勘定台ットカードが販売先端末機に認識されるとク勘定台ットカード情報がＶＡＮ中継サーバーを通じてク勘定台ットカード決済サーバーに伝送されて決済が要請され、ＶＡＮ中継サーバーはク勘定台ットカード情報を確認してク勘定台ットカード決済サーバーから伝送された決済承認情報を販売先端末機に伝達して決済が承認される方式で行われる。
【０００３】
このような販売先端末機を基盤とする従来の決済システムは次のような制限が存在する。
【０００４】
まず、販売先の計算係員は購買決済者に決済方式を直接確認して決済方式を決定した後、決定された決済方式による決済インターフェースを購買決済者に提供する限界が存在する。すなわち、販売先の計算係員が購買決済者それぞれが使う決済方式または決済サービスを決済時ごとに直接確認しなければならない煩わしさが存在するため、決済に要される時間が増加し、決済進行時の不便な点が存在する。
【０００５】
また、現在の販売先端末機は販売先の計算係員が所持したスマートフォンまたはタブレットのような移動通信端末機、またはその汎用オペレーティングシステム（ＯＳ）と連動して動作しない限界が存在するため、その連動を通じて決済の便宜性を改善させる必要性が存在し、ひいては決済方式が販売先と購買決済者間のＰ２Ｐ（Ｐｅｅｒ  ｔｏ  Ｐｅｅｒ）送金方式である場合、販売先では決済代金に対する入金確認の便利性が提供されていないのが実情である。
【０００６】
一方、従来の販売先端末機決済要請方式とは異なり、販売先端末機から出力された識別コード（例：ＱＲコード）を決済者の端末機が認識して決済に必要な情報を入手した後、決済者の端末機が直接決済サーバーに決済を要請する決済者端末機決済要請方式が適用されている趨勢である。
【０００７】
このような決済者端末機決済要請方式の場合、販売先端末機から出力された識別コードを決済者の端末機が獲得した後、獲得した識別コードを販売先の識別コードではない決済者（すなわち、悪意の奪取者）の識別コードまたは他の販売先の識別コードに変更して決済を要請することによって、奪取者の口座または他の販売先の口座に送金決済がなされるセキュリティ事故に露出されているのが実情である。
【０００８】
このようなセキュリティ事故は、購買決済者から伝達される販売先の識別コードが販売先端末機から出力された実際の識別コードに該当するものであるかを確認するシステムの不在に起因するため、決済時にそのセキュリティ危険を除去するシステムが要請される。
【０００９】
本発明の背景技術は大韓民国公開特許公報第１０−２０１５−００４２３８５号（２０１５．０４．２１．公開）に開示されている。
【発明の概要】
【発明が解決しようとする課題】
【００１０】
本発明は前述した問題点を解決するために創出されたものであって、本発明の一側面に係る目的は、販売先で決済遂行時に販売先の計算係員が購買決済者に決済方式を直接確認しなければならなかった煩わしさを除去するとともに、販売先の計算係員が所持した移動通信端末機を販売先端末機と連動させることができる方法を提供して決済の便宜性を改善するための決済インターフェース装置およびシステム、決済方法、決済サーバーを提供することである。
【００１１】
本発明のさらに他の目的は、販売先端末機から出力された識別コードが悪意の奪取者によって変更されて決済が行われるセキュリティ事故を除去することによって決済セキュリティを向上させることができる決済インターフェース装置およびシステム、決済方法、決済サーバーを提供することである。
【課題を解決するための手段】
【００１２】
本発明の一側面に係る決済インターフェース装置は、商品を購入した決済者が所持した決済端末機から前記決済者の識別情報である決済者識別子を獲得し、前記獲得された決済者識別子とマッチングされるように前記決済者の決済情報の入力を受け、前記入力された決済情報に基づいて前記決済者に対する決済を決済サーバーに要請する販売者用インターフェースユニット、および前記販売者用インターフェースユニットと分離可能で、前記販売者用インターフェースユニットに入力された決済情報を前記決済者に提供する決済者用インターフェースユニットを含むことを特徴とする。
【００１３】
本発明において前記販売者用インターフェースユニットは、前記決済端末機から獲得される決済者識別子を出力して前記出力された決済者識別子とマッチングされるように前記決済情報の入力を受ける方式、または前記決済端末機から獲得される決済者識別子をあらかじめ決定されたタイプの決済者識別子に変換して出力し、前記変換出力された決済者識別子とマッチングされるように前記決済情報の入力を受ける方式を通じて前記決済情報の入力を受けることを特徴とする。
【００１４】
本発明において前記販売者用インターフェースユニットは、前記獲得された決済者識別子に基づいて、一つ以上の決済サービスとの連動のための一つ以上のサービス連動決済者識別子を生成し、前記生成された一つ以上のサービス連動決済者識別子のうち販売者によって選択されたサービス連動決済者識別子とマッチングされるように前記決済者の決済情報の入力を受けることを特徴とする。
【００１５】
本発明において前記販売者用インターフェースユニットは、前記決済端末機に出力される決済者識別子を獲得した前記決済者用インターフェースユニットから前記決済者識別子の伝達を受けるか、前記決済端末機から前記決済者識別子が直接伝送されて獲得することを特徴とする。
【００１６】
本発明の一側面に係る決済インターフェースシステムは、商品を購入した決済者の決済情報の入力を受けて前記決済情報の識別情報である決済情報識別子を生成した後、前記決済者が所持した決済端末機が前記生成された決済情報識別子を認識して前記決済者に対する決済を決済サーバーに要請できるように前記決済情報識別子を伝送する第１インターフェース装置、および前記決済端末機から前記決済者の識別情報である決済者識別子を獲得し、前記獲得された決済者識別子とマッチングされるように前記決済者の決済情報の入力を受け、前記入力された決済情報に基づいて前記決済者に対する決済を前記決済サーバーに要請する第２インターフェース装置を含み、前記第１インターフェース装置および前記第２インターフェース装置は、前記決済者に対する決済が進行される場合に選択的に動作することを特徴とする。
【００１７】
本発明の一側面に係る決済インターフェースシステムは、一つ以上の移動通信端末機を含む販売者用移動通信端末部、および前記各移動通信端末機と結合可能であり、前記各移動通信端末機に入力された、商品を購入した決済者の決済情報を前記決済者に提供する決済者用インターフェースユニットを含み、前記各移動通信端末機は、前記決済者用インターフェースユニットと結合された状態で、前記決済者が所持した決済端末機から前記決済者の識別情報である決済者識別子を獲得し、前記獲得された決済者識別子とマッチングされるように前記決済者の決済情報の入力を受け、前記入力された決済情報に基づいて前記決済者に対する決済を決済サーバーに要請することを特徴とする。
【００１８】
本発明において前記決済者用インターフェースユニットに結合された移動通信端末機は、前記決済者に対する決済を遂行するために要求される端末認証のための固有認証識別子を前記決済者用インターフェースユニットから伝達を受け、前記伝達を受けた固有認証識別子に基づいて前記決済サーバーに端末認証を要請し、その要請結果の伝達を受けて端末認証を遂行することを特徴とする。
【００１９】
本発明の一側面に係る決済方法は、一つ以上の移動通信端末機を含む販売者用移動通信端末部、および前記各移動通信端末機と結合可能であり、前記各移動通信端末機に入力された、商品を購入した決済者の決済情報を前記決済者に提供する決済者用インターフェースユニットを含む決済インターフェースシステムを利用した決済方法であって、前記決済者用インターフェースユニットと結合された移動通信端末機が、前記決済者が所持した決済端末機から前記決済者の識別情報である決済者識別子を獲得する段階、前記獲得された決済者識別子とマッチングされるように前記決済者の決済情報の入力を受ける段階、および前記入力された決済情報に基づいて前記決済者に対する決済を決済サーバーに要請する段階を含むことを特徴とする。
【００２０】
本発明の一側面に係る決済インターフェースシステムは、一つ以上の移動通信端末機を含む販売者用移動通信端末部、および前記各移動通信端末機と結合可能であり、前記各移動通信端末機に入力された、商品を購入した決済者の決済情報を前記決済者に提供する決済者用インターフェースユニットを含み、前記各移動通信端末機は、前記決済者用インターフェースユニットと結合された状態で、前記決済者の決済情報の入力を受けて前記入力された決済情報の識別情報である決済情報識別子を生成して前記決済者用インターフェースユニットに伝達し、前記決済者用インターフェースユニットは、前記決済者が所持した決済端末機が前記決済情報識別子を認識して前記決済者に対する決済を決済サーバーに要請できるように前記決済情報識別子を伝送することを特徴とする。
【００２１】
本発明の一側面に係る決済方法は、一つ以上の移動通信端末機を含む販売者用移動通信端末部、および前記各移動通信端末機と結合可能であり、前記各移動通信端末機に入力された、商品を購入した決済者の決済情報を前記決済者に提供する決済者用インターフェースユニットを含む決済インターフェースシステムを利用した決済方法であって、前記決済者用インターフェースユニットと結合された移動通信端末機が、前記決済者の決済情報の入力を受ける段階、前記入力された決済情報の識別情報である決済情報識別子を生成する段階、前記生成された決済情報識別子を前記決済者用インターフェースユニットに伝達する段階、および前記決済者用インターフェースユニットが、前記決済者が所持した決済端末機が前記決済情報識別子を認識して前記決済者に対する決済を決済サーバーに要請できるように前記決済情報識別子を伝送する段階を含むことを特徴とする。
【００２２】
本発明の一側面に係る決済サーバーは、前記決済者に対する識別情報である第１決済者識別子と、販売先に対する識別情報である第１販売先識別子を前記販売者用インターフェースユニットから伝達を受け、正常決済状況で前記第１決済者識別子および前記第１販売先識別子とそれぞれ一致する第２決済者識別子および第２販売先識別子を前記決済端末機から伝達を受け、前記第１決済者識別子および前記第１販売先識別子と前記第２決済者識別子および前記第２販売先識別子をそれぞれ比較して、一致する場合にのみ前記決済者の決済情報に基づいて前記決済者に対する決済を進行することを特徴とする。
【００２３】
本発明において前記決済サーバーは、前記第１販売先識別子が前記決済者用インターフェースユニットによって変調されて生成された変調識別子を前記決済端末機を通じて伝達を受け、前記第２決済者識別子および前記伝達を受けた変調識別子を復調して抽出される前記第２販売先識別子を前記第１決済者識別子および前記第１販売先識別子とそれぞれ比較することを特徴とする。
【００２４】
本発明において前記変調識別子には前記決済者用インターフェースユニットによって変調される時点での時間基盤キーが反映されており、前記決済サーバーは、前記第２決済者識別子および前記変調識別子を復調して抽出される前記第２販売先識別子を前記第１決済者識別子および前記第１販売先識別子とそれぞれ比較して一致する場合であって、前記変調識別子を復調して抽出された前記時間基盤キーの値と復調時点での時間の値との間の差があらかじめ設定された許容範囲以内である場合にのみ前記決済者に対する決済を進行することを特徴とする。
【００２５】
本発明において前記変調識別子は、非可聴域変調音波として生成されることを特徴とする。
【００２６】
本発明において前記決済サーバーは、前記販売者用インターフェースユニット、前記決済者用インターフェースユニットおよび前記決済端末機のうちいずれか一つから前記決済者の決済情報の伝達を受けることによって前記決済者に対する決済が要請されることを特徴とする。
【００２７】
本発明の一側面に係る決済方法は、前記決済サーバーが、前記決済者に対する識別情報である第１決済者識別子と、販売先に対する識別情報である第１販売先識別子を前記販売者用インターフェースユニットから伝達を受ける段階、前記決済サーバーが、正常決済状況で前記第１決済者識別子および前記第１販売先識別子とそれぞれ一致する第２決済者識別子および第２販売先識別子を前記決済端末機から伝達を受ける段階、および前記決済サーバーが、前記第１決済者識別子および前記第１販売先識別子と前記第２決済者識別子および前記第２販売先識別子をそれぞれ比較して、一致する場合にのみ前記決済者の決済情報に基づいて前記決済者に対する決済を進行する段階を含むことを特徴とする。
【００２８】
本発明の一側面に係る決済インターフェース装置は、商品を購入した決済者の識別情報である決済者識別子、前記決済者の決済情報、および販売先に対する識別情報である販売先識別子を変調して変調識別子を生成する販売者用インターフェースユニット、および前記決済者が所持した決済端末機が前記変調識別子を認識して前記決済者に対する決済を決済サーバーに要請することによって、前記決済サーバーが前記変調識別子を復調して前記決済者に対する決済を進行できるように、前記販売者用インターフェースユニットから伝達を受けた前記変調識別子を伝送する決済者用インターフェースユニットを含むことを特徴とする。
【００２９】
本発明において前記決済者は第１および第２決済者を含み、前記決済端末機は前記第１および第２決済者がそれぞれ所持した第１および第２決済端末機を含み、前記販売者用インターフェースユニットは、前記第１決済者の識別情報である第１決済者識別子、前記第１決済者の決済情報、および前記販売先識別子を変調して第１変調識別子を生成し、前記第２決済者の識別情報である第２決済者識別子、前記第２決済者の決済情報、および前記販売先識別子を変調して第２変調識別子を生成し、前記決済者用インターフェースユニットは、前記第１および第２決済端末機が前記第１および第２変調識別子をそれぞれ認識して前記第１および第２決済者に対する決済を前記決済サーバーに要請することによって、前記決済サーバーが前記第１および第２変調識別子を復調して前記第１および第２決済者に対する決済を進行できるように、前記販売者用インターフェースユニットから伝達を受けた前記第１および第２変調識別子を伝送することを特徴とする。
【００３０】
本発明において前記決済者用インターフェースユニットは、第１および第２決済サービスによる決済をそれぞれ遂行するための第１および第２決済者用インターフェースユニットを含み、前記販売者用インターフェースユニットは、前記決済者識別子、前記決済情報および前記販売先識別子を、前記第１決済サービスによるプロトコルと前記第２決済サービスによるプロトコルに基づいてそれぞれ変調して第１および第２変調識別子をそれぞれ生成し、前記決済者用インターフェースユニットは、前記第１および第２変調識別子のうち前記決済端末機を通じて選択された決済サービスによる変調識別子を認識して前記決済者に対する決済を前記選択された決済サービスによる決済サーバーに要請できるように、前記販売者用インターフェースユニットから伝達を受けた前記第１および第２変調識別子を伝送することを特徴とする。
【００３１】
本発明の一側面に係る決済方法は、前記販売者用インターフェースユニットが、商品を購入した決済者の識別情報である決済者識別子、前記決済者の決済情報、および販売先に対する識別情報である販売先識別子を変調して変調識別子を生成する段階、および前記決済者用インターフェースユニットが、前記決済者が所持した決済端末機が前記変調識別子を認識して前記決済者に対する決済を決済サーバーに要請することによって、前記決済サーバーが前記変調識別子を復調して前記決済者に対する決済を進行できるように、前記販売者用インターフェースユニットから伝達を受けた前記変調識別子を伝送する段階を含むことを特徴とする。
【発明の効果】
【００３２】
本発明の一側面によると、本発明は販売先に備えられる販売先端末機を販売先の計算係員と購買決済者のためのインターフェース装置に区分して具現することによってその決済の便宜性を改善することができ、購買決済者から伝達される販売先の識別コードが販売先端末機から出力された実際の識別コードに該当するものであるかを確認するシステムを採用することによって決済セキュリティを向上させることができる。
【図面の簡単な説明】
【００３３】
【図１】本発明の第１実施例に係る決済インターフェース装置を説明するためのブロック構成図である。
【図２】本発明の第１実施例に係る決済インターフェース装置の下位構成を図示した例示図である。
【図３】本発明の第２実施例に係る決済インターフェースシステムを説明するためのブロック構成図である。
【図４】本発明の第３実施例に係る決済インターフェースシステムを説明するためのブロック構成図である。
【図５】本発明の第３実施例に係る決済インターフェースシステムの具現例を図示した例示図である。
【図６】本発明の第３実施例に係る決済インターフェースシステムの動作（販売先端末機決済要請方式）を説明するための例示図である。
【図７】本発明の第３実施例に係る決済方法（販売先端末機決済要請方式）を説明するためのフローチャートである。
【図８】本発明の第３実施例に係る決済インターフェースシステムの動作（決済者端末機決済要請方式）を説明するための例示図である。
【図９】本発明の第３実施例に係る決済方法（決済者端末機決済要請方式）を説明するためのフローチャートである。
【図１０】本発明の第４実施例に係る決済サーバーの動作を説明するための例示図である。
【図１１】本発明の第４実施例に係る決済サーバーの動作を説明するための例示図である。
【図１２】本発明の第４実施例に係る決済サーバーの動作を説明するための例示図である。
【図１３】本発明の第４実施例に係る決済サーバーの動作を説明するための例示図である。
【図１４】本発明の第４実施例に係る決済サーバーの動作を説明するための例示図である。
【図１５】本発明の第４実施例に係る決済サーバーの動作を説明するための例示図である。
【図１６】本発明の第４実施例に係る決済サーバーの動作を説明するための例示図である。
【図１７】本発明の第４実施例に係る決済方法を説明するための例示図である。
【図１８】本発明の第４実施例に係る決済インターフェース装置の動作を説明するための例示図である。
【図１９】本発明の第４実施例に係る決済インターフェース装置の動作を説明するための例示図である。
【図２０】本発明の第４実施例に係る決済インターフェース装置の動作を説明するための例示図である。
【図２１】本発明の第４実施例に係る決済インターフェース装置の動作を説明するための例示図である。
【図２２】本発明の第４実施例に係る決済方法を説明するための例示図である。
【発明を実施するための形態】
【００３４】
以下、添付された図面を参照して本発明に係る決済インターフェース装置およびシステム、決済方法、決済サーバーの一実施例を説明する。この過程で、図面に図示された線の厚さや構成要素の大きさなどは、説明の明瞭性と便宜上誇張して図示され得る。また、後述される用語は本発明での機能を考慮して定義された用語であって、これは使用者、運用者の意図または慣例により変わり得る。したがって、このような用語に対する定義は本明細書全般にわたった内容に基づいて下されるべきである。
【００３５】
［実施例１］
【００３６】
図１は本発明の第１実施例に係る決済インターフェース装置を説明するためのブロック構成図であり、図２は本発明の第１実施例に係る決済インターフェース装置の下位構成を図示した例示図である。
【００３７】
図１を参照すると、本発明の第１実施例に係る決済インターフェース装置１００は、販売者用インターフェースユニット１１０および決済者用インターフェースユニット１２０を含むことができ、決済端末機２００および決済サーバー３００との通信を通じて決済者に対する決済を遂行できる。
【００３８】
図２を参照して販売者用インターフェースユニット１１０および決済者用インターフェースユニット１２０の下位構成を説明すると、まず販売者用インターフェースユニット１１０は、商品を購入した決済者の決済情報（注文の内訳および決済金額）を販売者から入力を受けるための第１入力部１１１、および第１入力部１１１を通じて入力された決済情報と後述する決済者用インターフェースユニット１２０から伝達を受ける決済者識別子を販売者に出力するための第１出力部１１２を含むことができる。第１入力部１１１は決済情報の入力を受けるために、キーボード、スキャナー（例：ＱＲコードスキャナー、バーコードスキャナーなど）および音声／音波認識装置（例：マイクなど）を含むことができ、第１出力部１１２は決済情報および決済者識別子を販売者に出力するためのディスプレイ装置（例：ＬＣＤなど）および音声／音波出力装置を含むことができる。
【００３９】
決済者用インターフェースユニット１２０は、後述する決済端末機２００から決済者識別子の入力を受けるための第２入力部１２１、および販売者用インターフェースユニット１１０に入力された決済情報を決済者が確認できるように提供するための第２出力部１２２を含むことができる。第２入力部１２１は決済端末機２００から決済者識別子の入力を受けるために、キーボード、スキャナー（例：ＱＲコードスキャナー、バーコードスキャナーなど）および音声／音波認識装置（例：マイクなど）を含むことができ、第２出力部１２２は決済情報を決済者に出力するためのディスプレイ装置（例：ＬＣＤなど）および音声／音波出力装置を含むことができる。
【００４０】
販売者用インターフェースユニット１１０および決済者用インターフェースユニット１２０は結合および分離可能な構造で設計され得、販売先で相互に分離離隔して設置される場合、有線／無線通信を通じて情報を送受信することができる。例えば、販売者用インターフェースユニット１１０は勘定台のように販売先の計算係員が常駐する位置に設置され得、決済者用インターフェースユニット１２０は決済者が位置するテーブル（例：食堂テーブル）に設置され得、相互に離隔して設置された販売者用インターフェースユニット１１０および決済者用インターフェースユニット１２０は有線／無線通信を通じて情報を送受信することができる。
【００４１】
前述した販売者用インターフェースユニット１１０および決済者用インターフェースユニット１２０の下位構成に基づいて、以下では販売者用インターフェースユニット１１０および決済者用インターフェースユニット１２０の動作を具体的に説明する。
【００４２】
販売者用インターフェースユニット１１０は商品を購入した決済者が所持した決済端末機２００から決済者の識別情報である決済者識別子（ＱＲコード（登録商標））、バーコードまたは近距離無線通信（ＮＦＣ、ブルートゥース（登録商標））データなど）を獲得し、獲得された決済者識別子とマッチングされるように決済者の決済情報の入力を受け、入力された決済情報に基づいて決済者に対する決済を決済サーバー３００に要請することができる。
【００４３】
まず、販売者用インターフェースユニット１１０が決済者識別子を獲得する実施例を説明すると、販売者用インターフェースユニット１１０は決済端末機２００に出力される決済者識別子を獲得した決済者用インターフェースユニット１２０から決済者識別子の伝達を受けることができる。
【００４４】
すなわち、決済者用インターフェースユニット１２０は決済端末機２００に出力される決済者識別子を第２入力部（１２１、例：ＱＲコードスキャナーまたはバーコードスキャナー）を通じて獲得することができ、販売者用インターフェースユニット１１０は決済者用インターフェースユニット１２０から有線／無線通信を通じて決済者識別子の伝達を受けて第１出力部１１２を通じて出力することができる。この場合は、そのプロトコルの制限により決済端末機２００がＱＲコードまたはバーコード形態の決済者識別子のみを生成できる場合に適用され得る。
【００４５】
また、販売者用インターフェースユニット１１０は、決済者用インターフェースユニット１２０を通じずに決済端末機２００から決済者識別子が直接伝送されて獲得して第１出力部１１２を通じて出力してもよい。この場合は、決済端末機２００が近距離無線通信プロトコルを支援して近距離無線通信データの形態として決済者識別子を生成できる場合に適用され得る。
【００４６】
決済者識別子を獲得した後、販売者用インターフェースユニット１１０は獲得された決済者識別子とマッチングされるように決済者の決済情報の入力を受けることができ、入力された決済情報に基づいて決済者に対する決済を決済サーバー３００に要請することができる。
【００４７】
すなわち、決済者が決済端末機２００を通じて決済者識別子を（決済者用インターフェースユニット１２０を通じて、または直接）販売者用インターフェースユニット１１０に伝達した後、第１出力部１１２を通じて出力される決済者識別子を販売先の計算係員がスキャニングして決済情報を決済者識別子とマッチングさせて入力すると、販売者用インターフェースユニット１１０は入力された決済情報に基づいて決済者に対する決済を決済サーバー３００に要請することができる。これに伴い、販売先の計算係員にとって、決済端末機２００に出力されたＱＲコードまたはバーコードなどの決済者識別子をいちいちスキャニングして認識しなければならなかった不便な点が除去され得、決済者にとっては、決済端末機２００を販売先の計算係員に直接提示する必要がなく、決済者が位置したテーブルに設置された決済者用インターフェースユニット１２０の第１入力部１１１に決済者識別子をタギングする簡単な方式で決済者識別子を販売者用インターフェースユニット１１０に伝達することができる。
【００４８】
一方、本実施例で販売者用インターフェースユニット１１０は、決済端末機２００から獲得される決済者識別子を出力して出力された決済者識別子とマッチングされるように決済情報の入力を受ける方式、または決済端末機２００から獲得される決済者識別子をあらかじめ決定されたタイプの決済者識別子に変換して出力して変換出力された決済者識別子とマッチングされるように決済情報の入力を受ける方式を通じて決済情報の入力を受けることができる。
【００４９】
すなわち、販売者用インターフェースユニット１１０は、決済端末機２００から決済者識別子を獲得した決済者用インターフェースユニット１１０から決済者識別子の伝達を受けて第１出力部１１２を通じてそのまま出力してもよく、複数の決済者が存在する場合、決済者それぞれが所持した各決済端末機が支援する決済者識別子生成プロトコルが異なる場合を考慮して、販売者用インターフェースユニット１１０は決済端末機２００から決済者識別子を獲得した決済者用インターフェースユニット１１０から決済者識別子の伝達を受けて、あらかじめ決定されたタイプの決済者識別子に変換して第１出力部１１２を通じて出力してもよい。
【００５０】
例えば、決済者が所持した決済端末機２００がＱＲコード、バーコードまたは近距離無線通信（ＮＦＣ、ブルートゥースなど）用データなどの異種の決済者識別子を伝達しても、販売者用インターフェースユニット１１０は異種の決済者識別子をあらかじめ決定されたタイプの決済者識別子（例：バーコード）に変換して第１出力部１１２を通じて出力することができる。これに伴い、販売先の計算係員は多様な決済者識別子に対して一つのタイプのスキャニング装備を通じて決済者識別子をタギングして決済情報を入力できるようになる。
【００５１】
一方、販売者用インターフェースユニット１１０は獲得した決済者識別子に基づいて、一つ以上の決済サービスとの連動のための一つ以上のサービス連動決済者識別子を生成し、生成された一つ以上のサービス連動決済者識別子のうち販売者によって選択されたサービス連動決済者識別子とマッチングされるように決済者の決済情報の入力を受けることができる。
【００５２】
例えば、販売者用インターフェースユニット１１０が決済端末機２００からＡ  Ｐａｙ（例：カード会社）決済サービスによる決済者識別子を獲得した場合、販売者用インターフェースユニット１１０はサービス連動決済者識別子としてＡ  Ｐａｙ決済サービスによる決済者識別子、Ｂ  Ｂａｎｋ（例：銀行社）決済サービスによる決済者識別子、Ｃ  決済統合中継サービスによる決済者識別子、電子支給決済代行サービスによる決済者識別子、ＶＡＮサービスによる決済者識別子および電子金融補助業サービスによる決済者識別子を生成して第１出力部１１２を通じて出力し、出力されたサービス連動決済者識別子のうち販売先の計算係員によって選択されたサービス連動決済者識別子とマッチングされるように決済者の決済情報の入力を受けることができる。これに伴い、販売先の計算係員は所望の決済方式により決済者に対する決済を遂行できる。
【００５３】
第１実施例を通じて、販売先に備えられる決済インターフェース装置１００を販売先の計算係員のための販売者用インターフェースユニット１１０および決済者のための決済者用インターフェースユニット１２０に区分して具現することによって、販売先で決済遂行時に販売先の計算係員が購買決済者に決済方式を直接確認しなければならなかった煩わしさを除去して決済の便宜性を改善することができる。
【００５４】
［実施例２］
【００５５】
図３は、本発明の第２実施例に係る決済インターフェースシステムを説明するためのブロック構成図である。
【００５６】
図３を参照すると、本発明の第２実施例に係る決済インターフェースシステム１０００Ａは、第１インターフェース装置１００Ａおよび第２インターフェース装置１００Ｂを含むことができ、決済端末機２００および決済サーバー３００との通信を通じて決済者に対する決済を遂行できる。
【００５７】
第２実施例で第１インターフェース装置１００Ａおよび第２インターフェース装置１００Ｂは、第１実施例で説明した決済インターフェース装置１００と同じ構成を含んで同一機能を遂行することができ、追加的に第１インターフェース装置１００Ａの販売者用インターフェースユニット１１０は第１実施例で説明した第１入力部１１１および第１出力部１１２とともに決済識別子生成部をさらに含んでもよい。決済識別子生成部は第１入力部１１１を通じて入力された決済情報に対する識別情報である決済情報識別子（例：ＱＲコード、バーコード、文字列または非可聴変調した音波信号など）を生成することができる。
【００５８】
前述した内容に基づいて、第１インターフェース装置１００Ａおよび第２インターフェース装置１００Ｂの動作を具体的に説明する。
【００５９】
第１インターフェース装置１００Ａは、商品を購入した決済者の決済情報の入力を受けて決済情報の識別情報である決済情報識別子を生成した後、決済者が所持した決済端末機２００が前記生成された決済情報識別子を認識して決済者に対する決済を決済サーバー３００に要請できるように決済情報識別子を伝送することができる。
【００６０】
第１実施例で説明した内容に基づいて第１インターフェース装置１００Ａの動作の例示を説明すると、第１インターフェース装置１００Ａの販売者用インターフェースユニット１１０は、販売先の計算係員から決済者の決済情報を第１入力部１１１を通じて入力を受けて決済識別子生成部を通じて決済情報識別子を生成した後に決済者用インターフェースユニット１２０に伝達し、決済者用インターフェースユニット１２０は決済情報識別子を決済端末機２００が認識して決済者に対する決済を決済サーバー３００に要請できるように、決済情報識別子を第２出力部１２２を通じて出力することができる。
【００６１】
第２インターフェース装置１００Ｂは決済端末機２００から決済者の識別情報である決済者識別子を獲得し、獲得された決済者識別子とマッチングされるように決済者の決済情報の入力を受け、入力された決済情報に基づいて決済者に対する決済を決済サーバー３００に要請することができる。
【００６２】
第１実施例で説明した内容に基づいて第２インターフェース装置１００Ｂの動作の例示を説明すると、第２インターフェース装置１００Ｂの販売者用インターフェースユニット１１０は（決済者用インターフェースユニット１２０を通じて、または直接）決済者識別子を獲得し、獲得された決済者識別子とマッチングされるように決済者の決済情報を第１入力部１１１を通じて入力を受け、入力された決済情報に基づいて決済者に対する決済を決済サーバー３００に要請することができる。
【００６３】
すなわち、第２実施例は第１インターフェース装置１００Ａは決済者端末機決済要請方式が適用され、第２インターフェース装置１００Ｂは販売先端末機決済要請方式が適用される実施例であり、この時、第１インターフェース装置１００Ａおよび第２インターフェース装置１００Ｂは決済者に対する決済が進行される場合に選択的に動作することができる。
【００６４】
具体的な例を挙げて説明すると、第１インターフェース装置１００ＡはＱＲコードのような決済情報識別子を出力することによって決済端末機２００が決済サーバー３００に決済を要請するようにする決済者端末機決済要請方式が適用され、第２インターフェース装置１００Ｂは決済者が所持した決済端末機２００から獲得されたバーコードのような決済者識別子とマッチングされるように入力された決済情報に基づいて決済サーバー３００に決済を要請する販売先端末機決済要請方式が適用されてもよい。
【００６５】
第２実施例を通じて、販売先にとっては、決済者が遂行できる決済要請方式に制限されず、決済者端末機決済要請方式および販売先端末機決済要請方式をすべて支援できるようになり、決済者にとっては、本人が所望する決済要請方式が適用されたインターフェース装置を自由に選択して決済することができるため、その決済の便宜性が改善され得る。
【００６６】
［実施例３］
【００６７】
図４は本発明の第３実施例に係る決済インターフェースシステムを説明するためのブロック構成図であり、図５は本発明の第３実施例に係る決済インターフェースシステムの具現例を図示した例示図であり、図６は本発明の第３実施例に係る決済インターフェースシステムの動作（販売先端末機決済要請方式）を説明するための例示図である。
【００６８】
図４を参照すると、本発明の第３実施例に係る決済インターフェースシステム１０００Ｂは、販売者用移動通信端末部１３０および決済者用インターフェースユニット１２０を含むことができ、販売者用移動通信端末部１３０は販売先での決済進行のための一つ以上の移動通信端末機を含むことができる。決済インターフェースシステム１０００Ｂは決済端末機２００および決済サーバー３００との通信を通じて決済者に対する決済を遂行できる。
【００６９】
第３実施例は第１実施例での販売者用インターフェースユニット１１０を販売者用移動通信端末部１３０に含まれた各移動通信端末機に変えた実施例であって、第３実施例を通じて販売先端末機（第３実施例では決済者用インターフェースユニット１２０）を販売先の計算係員が所持したスマートフォンまたはタブレットのような移動通信端末機、またはその汎用オペレーティングシステム（ＯＳ）と連動させて動作させることができる方法を提示する。
【００７０】
このための前提として、各移動通信端末機に設置されたＯＳ（例：Ａｎｄｒｏｉｄ  ＯＳ）で動作するソフトウェアの形態で配布される決済サービスアプリケーションが決済者用インターフェースユニット１２０に設置されて作動できるように、決済者用インターフェースユニット１２０は移動通信端末機のようなＯＳが設置されていてもよい。例えば、移動通信端末機に設置されたＯＳのようなＯＳが決済者用インターフェースユニット１２０に設置されることによって、移動通信端末機に設置されたＯＳで動作するＡ  Ｂａｎｋアプリケーション、Ｂ  ＢａｎｋアプリケーションまたはＣ  Ｐａｙアプリケーションが決済者用インターフェースユニット１２０と連動して動作できるようになる。
【００７１】
また、第３実施例では第１実施例の販売者用インターフェースユニット１１０を代替した主体を明確にするために「移動通信端末機」と表記し、以下で説明する移動通信端末機が遂行する機能を提供するアプリケーションが設置されたいかなる端末機も第３実施例の移動通信端末機として機能することができる（例：端末機メーカーが製造する専用端末機だけでなく、汎用端末機（例：アンドロイドスマートフォン）もアプリケーションが設置された場合であれば第３実施例の移動通信端末機として機能することができる。
【００７２】
前述した内容に基づいて第３実施例に係る決済インターフェースシステム１０００Ｂの動作を具体的に説明する。
【００７３】
決済者用インターフェースユニット１２０は販売者用移動通信端末部１３０に含まれた各移動通信端末機と結合可能であり、各移動通信端末機に入力された、商品を購入した決済者の決済情報を決済者に提供することができる。
【００７４】
販売者用移動通信端末部１３０に含まれた各移動通信端末機は、決済者用インターフェースユニット１２０と結合された状態で、決済者が所持した決済端末機２００から決済者の識別情報である決済者識別子を獲得し、獲得された決済者識別子とマッチングされるように決済者の決済情報の入力を受け、入力された決済情報に基づいて決済者に対する決済を決済サーバー３００に要請することができる。
【００７５】
図５を参照して具体的な例を挙げて説明すると、販売先の計算係員が複数人である場合、各販売先の計算係員が所持した各移動通信端末機１３１、１３２は販売者用移動通信端末部１３０を構成し、第１販売先の計算係員が所持した第１移動通信端末機１３１が決済者用インターフェースユニット１２０と結合すると、第１実施例で説明した決済インターフェース装置１００と同一機能を遂行することができる。これに伴い、第１移動通信端末機１３１は決済者用インターフェースユニット１２０と結合された状態で、決済者が所持した決済端末機２００から（決済者用インターフェースユニット１２０を通じて、または直接）決済者識別子を獲得し、獲得された決済者識別子とマッチングされるように決済者の決済情報を第１移動通信端末機に備えられた入力部（入力ボタンまたはタッチパネルなど）を通じて入力を受け、入力された決済情報に基づいて決済者に対する決済を決済サーバー３００に要請することができる。
【００７６】
この時、複数の移動通信端末機が決済者用インターフェースユニット１２０と結合され得るため、決済者に対する決済を遂行するためには決済者用インターフェースユニット１２０と結合される移動通信端末機に対する認証が要求される。
【００７７】
したがって、本実施例で決済者用インターフェースユニット１２０に結合された移動通信端末機は、決済者に対する決済を遂行するために要求される端末認証のための固有認証識別子を決済者用インターフェースユニット１２０から伝達を受け、伝達を受けた固有認証識別子に基づいて決済サーバー３００に端末認証を要請し、その要請結果の伝達を受けて端末認証を遂行できる。販売者用移動通信端末部１３０に含まれた各移動通信端末機と決済者用インターフェースユニット１２０には、固有認証識別子を送受信し、決済を進行するための専用アプリケーションが事前に認証された状態で決済サービス別にあらかじめ設置されていてもよく、これに伴い、専用アプリケーションに基づいて固有認証識別子を送受信し、決済サーバー３００を通じて端末認証を遂行した後に決済を遂行することによって、外部移動通信端末機が決済者用インターフェースユニット１２０に結合されて決済が遂行されることを防止することができる。
【００７８】
図６を参照して前述した実施例を具体的な例を挙げて説明すると、決済者用インターフェースユニット１２０と結合した移動通信端末機は販売先の計算係員の操作によって第１決済サービス用アプリケーションを実行し、決済者用インターフェースユニット１２０から伝達を受けた固有認証識別子を第１決済サービスによる第１決済サーバー３１０に伝送して端末認証を要請し、第１決済サーバー３１０から端末認証要請結果の伝達を受けて端末認証を完了する。そして、決済者が所持した決済端末機２００から決済者用インターフェースユニット１２０を通じて決済者識別子を獲得し、獲得された決済者識別子とマッチングされるように決済者の決済情報の入力を受け、入力された決済情報に基づいて決済者に対する決済を第１決済サーバー３１０に要請する。その後、第１決済サーバー３１０から決済要請結果の伝達を受けて出力する。
【００７９】
図７は、本発明の第３実施例に係る決済方法（販売先端末機決済要請方式）を説明するためのフローチャートである。
【００８０】
図７を参照して本発明の第３実施例に係る決済方法（販売先端末機決済要請方式）を説明すると、まず決済者用インターフェースユニット１２０と結合された移動通信端末機（以下、第１移動通信端末機）は、決済者に対する決済を遂行するために要求される端末認証のための固有認証識別子を決済者用インターフェースユニット１２０から伝達を受け、伝達を受けた固有認証識別子に基づいて決済サーバー３００に端末認証を要請し、その要請結果の伝達を受けて端末認証を遂行するＳ７１０。
【００８１】
引き続き、第１移動通信端末機は決済者が所持した決済端末機２００から決済者の識別情報である決済者識別子を獲得するＳ７２０。
【００８２】
引き続き、第１移動通信端末機はＳ７２０段階で獲得された決済者識別子とマッチングされるように決済者の決済情報の入力を受けるＳ７３０。
【００８３】
引き続き、第１移動通信端末機はＳ７３０段階で入力された決済情報に基づいて決済者に対する決済を決済サーバー３００に要請するＳ７４０。
【００８４】
引き続き、第１移動通信端末機は決済サーバー３００から決済者に対する決済要請結果の伝達を受けて出力するＳ７５０。
【００８５】
一方、前述した実施例に係る決済方法は、ハードウェアと結合されてＳ７２０段階〜Ｓ７４０段階を実行させるためのコンピュータプログラムで作成され得、媒体に保存されて前記コンピュータプログラムを動作させるハードウェアで具現され得る。すなわち、前述した決済方法は決済者が所持した決済端末機２００から決済者の識別情報である決済者識別子を獲得する段階Ｓ７２０、Ｓ７２０段階で獲得された決済者識別子とマッチングされるように決済者の決済情報の入力を受ける段階Ｓ７３０、およびＳ７３０段階で入力された決済情報に基づいて決済者に対する決済を決済サーバー３００に要請する段階Ｓ７４０を実行させるためのコンピュータプログラムで作成されて結合されたハードウェアで具現され得る（また、Ｓ７１０段階およびＳ７５０段階をさらに遂行するように作成されてもよい）。前記コンピュータプログラムが保存される媒体にはＲＯＭ、ＲＡＭ、ＣＤ−ＲＯＭ、磁気テープ、フロッピーディスクおよび光データ保存装置などがある。
【００８６】
前述した第３実施例は販売先端末機決済要請方式による実施例で説明したが、実施例によっては決済者端末機決済要請方式による実施例で具現されてもよい。
【００８７】
すなわち、販売者用移動通信端末部１３０に含まれた各移動通信端末機は、決済者用インターフェースユニット１２０と結合された状態で、決済者の決済情報の入力を受け、入力された決済情報の識別情報である決済情報識別子を生成して（各移動通信端末機には決済情報識別子を生成するための専用アプリケーションが設置されていてもよい）決済者用インターフェースユニット１２０に伝達することができる。そして、決済者用インターフェースユニット１２０は、決済者が所持した決済端末機２００が決済情報識別子を認識して決済者に対する決済を決済サーバー３００に要請できるように決済情報識別子を伝送（出力）することができる。これに伴い、決済端末機２００は決済者用インターフェースユニット１２０により出力される決済情報識別子を獲得して（例：決済者用インターフェースユニット１２０の第２出力部１２２により出力されるバーコードまたはＱＲコードをタギングして獲得）決済サーバー３００に決済者に対する決済を要請することができる。
【００８８】
図８は本発明の第３実施例に係る決済インターフェースシステム１０００Ｂの動作（決済者端末機決済要請方式）を説明するための例示図であって、図８を参照して前述した実施例を具体的な例を挙げて説明すると、決済者用インターフェースユニット１２０と結合した移動通信端末機は販売先の計算係員の操作によって第１決済サービス用アプリケーションを実行する。
【００８９】
そして、決済者用インターフェースユニット１２０と結合した移動通信端末機は、決済者の決済情報の入力を受け、入力された決済情報の識別情報である決済情報識別子を生成して決済者用インターフェースユニット１２０に伝達することができる。その後、決済者用インターフェースユニット１２０は決済者が所持した決済端末機２００が決済情報識別子を認識して決済者に対する決済を決済サーバー３００に要請できるように、決済情報識別子を伝送（出力）することができる。これに伴い、決済端末機２００は決済者用インターフェースユニット１２０により出力される決済情報識別子を獲得して決済サーバー３００に決済者に対する決済を要請することができる。
【００９０】
一方、販売者用移動通信端末部１３０に含まれた各移動通信端末機が使う決済サービス（購買者の決済代金の入金を受けたり、事後精算する決済サービスなど）と、決済者が所持した決済端末機２００が使う決済サービスが異なる場合が想定され得る。例えば、販売先にとっては、多様な決済サービスを運用する場合、決済方式をできる限り一元化することを好み得、本実施例は移動通信端末機を採用するという点で、移動通信端末機に設置されたアプリケーションに基づいて販売先および決済者の各決済サービスが異なる場合での処理を容易にすることができる。
【００９１】
具体的な例示として、各移動通信端末機が第１決済サービスを利用し、決済端末機２００が第２決済サービスを利用する場合、販売先の計算係員は移動通信端末機に設置された第１決済サービスアプリケーションを実行し、この時、移動通信端末機が使う決済サービス、すなわち第１決済サービスを通じて決済を遂行しようとする場合、販売先端末機決済要請方式においては移動通信端末機が決済端末機２００から決済者識別子を獲得して決済者の決済情報とともに第１決済サーバー３１０に決済を要請することができ、決済者端末機決済要請方式においては決済端末機２００が決済者用インターフェースユニット１２０から出力される決済情報識別子を獲得して決済者の決済情報とともに第２決済サーバー３２０に決済を要請することができ、この時、販売者用インターフェースユニット１１０は第２決済サーバー３２０の決済要請結果を第１決済サーバー３１０を通じて伝達を受けることができる（図８）。さらに、決済者端末機決済要請方式において決済者用インターフェースユニット１２０から出力される決済情報識別子は統合中継サービスのプロトコル基盤決済情報識別子であり得、これに伴い決済完了後に統合中継サービスを通じて第１決済サービスにより販売先に決済代金が入金されたり精算処理が遂行され得る。
【００９２】
図９は、本発明の第３実施例に係る決済方法（決済者端末機決済要請方式）を説明するためのフローチャートである。
【００９３】
図９を参照して本発明の第３実施例に係る決済方法（決済者端末機決済要請方式）を説明すると、まず決済者用インターフェースユニット１２０と結合された移動通信端末機（以下、第１移動通信端末機）は、決済者に対する決済を遂行するために要求される端末認証のための固有認証識別子を決済者用インターフェースユニット１２０から伝達を受け、伝達を受けた固有認証識別子に基づいて決済サーバー３００に端末認証を要請し、その要請結果の伝達を受けて端末認証を遂行するＳ９１０。
【００９４】
引き続き、第１移動通信端末機は決済者の決済情報の入力を受けＳ９２０、入力された決済情報の識別情報である決済情報識別子を生成した後Ｓ９３０、生成された決済情報識別子を決済者用インターフェースユニット１２０に伝達するＳ９４０。
【００９５】
引き続き、決済者用インターフェースユニット１２０は決済者が所持した決済端末機２００が決済情報識別子を認識して決済者に対する決済を決済サーバー３００に要請できるように決済情報識別子を伝送するＳ９５０。
【００９６】
引き続き、第１移動通信端末機は決済サーバー３００から決済者に対する決済要請結果の伝達を受けて出力するＳ９６０。
【００９７】
［実施例４］
【００９８】
前述したように、決済者端末機決済要請方式の場合、販売先端末機から出力された識別コードを決済者の端末機が獲得した後、獲得した識別コードを販売先の識別コードではない決済者（すなわち、悪意の奪取者）の識別コードまたは他の販売先の識別コードに変更して決済を要請することによって、奪取者の口座または他の販売先の口座に送金決済がなされるセキュリティ事故に露出しているのが実情である。
【００９９】
したがって、本実施例では決済サーバー３００の動作を中心に、決済端末機２００から伝達される販売先識別子が決済インターフェース装置１００から出力された実際の販売先識別子に該当するものであるかを確認するシステムを採用することによって、決済セキュリティを向上させる方法を提示する。
【０１００】
図１０〜図１６は、本発明の第４実施例に係る決済サーバー３００の動作を説明するための例示図である。
【０１０１】
第４実施例に係る決済サーバー３００は、販売者用インターフェースユニット１１０および決済者用インターフェースユニット１２０を含む決済インターフェース装置１００と、商品を購入した決済者が所持した決済端末機２００と通信して決済者に対する決済を進行することができる。
【０１０２】
具体的には、まず決済サーバー３００は決済者に対する識別情報である第１決済者識別子と、販売先に対する識別情報である第１販売先識別子を販売者用インターフェースユニット１１０から伝達を受けることができる（第１決済者識別子および第１販売先識別子は販売者用インターフェースユニット１１０から伝達を受ける決済者識別子および販売先識別子を意味し、後述する第２決済者識別子および第２販売先識別子は決済端末機２００から伝達される決済者識別子および販売先識別子を意味するｍのと定義する）。
【０１０３】
第１販売先識別子は販売者用インターフェースユニット１１０に保存されていてもよく、決済者用インターフェースユニット１２０に保存された第１販売先識別子を販売者用インターフェースユニット１１０が伝達を受けてもよい（販売者用インターフェースユニット１１０が第１決済者識別子を獲得する方法は後述する）。
【０１０４】
これに伴い、決済サーバー３００は第１決済者識別子および第１販売先識別子を販売者用インターフェースユニット１１０から伝達を受けることができる。
【０１０５】
そして、決済サーバー３００は正常決済状況で第１決済者識別子および第１販売先識別子とそれぞれ一致する第２決済者識別子および第２販売先識別子を決済端末機２００から伝達を受けることができる。
【０１０６】
ここで、前述したように、第１販売先識別子は決済者用インターフェースユニット１２０に保存されていてもよく、これに伴い決済端末機２００は決済者用インターフェースユニット１２０の第２出力部１２２を通じて出力された第１販売先識別子をタギングして獲得した後、第２販売先識別子として決済サーバー３００に伝達することができる。
【０１０７】
正常決済状況（すなわち、悪意の奪取者によって決済者識別子および販売先識別子が変更されない状況）では第１決済者識別子および第１販売先識別子は第２決済者識別子および第２販売先識別子とそれぞれ一致すべきであり、もし第１決済者識別子および第２決済者識別子が異なる場合、または第１販売先識別子および第２販売先識別子が異なる場合には悪意の奪取者によって決済者識別子または販売先識別子が変更された状況に該当し得る。
【０１０８】
したがって、決済サーバー３００は第１決済者識別子および第１販売先識別子と第２決済者識別子および第２販売先識別子をそれぞれ比較して、一致する場合にのみ決済者の決済情報に基づいて決済者に対する決済を進行することができる。ここで、決済サーバー３００は販売者用インターフェースユニット１１０、決済者用インターフェースユニット１２０および決済端末機２００のうちいずれか一つから決済者の決済情報の伝達を受けることによって、決済者に対する決済の要請を受けることができる。すなわち、販売先端末機決済要請方式の場合、決済サーバー３００は販売者用インターフェースユニット１１０または決済者用インターフェースユニット１２０から決済者の決済情報の伝達を受けて決済者に対する決済の要請を受けることができ、決済者端末機決済要請方式の場合、決済サーバー３００は決済端末機２００から決済者の決済情報の伝達を受けて（すなわち、決済者用インターフェースユニット１２０から決済情報識別子の伝達を受けた決済端末機２００から決済者の決済情報の伝達を受けて）決済者に対する決済の要請を受けることができる。
【０１０９】
前述した実施例を図１０を参照して具体的に説明すると、決済サーバー３００は決済者に対する識別情報である第１決済者識別子と、販売先に対する識別情報である第１販売先識別子を販売者用インターフェースユニット１１０から伝達を受ける。決済サーバー３００は図１０に図示されたように第１決済者識別子および第１販売先識別子の伝達を受ける時に販売者用インターフェースユニット１１０から決済者の決済情報を共に伝達を受けてもよい（すなわち、販売先端末機決済要請方式）。
【０１１０】
そして、決済サーバー３００は正常決済状況で第１決済者識別子および第１販売先識別子とそれぞれ一致する第２決済者識別子および第２販売先識別子を決済端末機２００から伝達を受ける。ここで、決済端末機２００は決済者用インターフェースユニット１２０の第２出力部１２２を通じて出力された第１販売先識別子をタギングして第１販売先識別子を獲得した後、第２販売先識別子として決済サーバー３００に伝達することができる。
【０１１１】
決済サーバー３００が第１決済者識別子、第１販売先識別子および決済者の決済情報を販売者用インターフェースユニット１１０から伝達を受ける構成と、第２決済者識別子および第２販売先識別子を決済端末機２００から伝達を受ける構成は、その時系列的な前後が図１０に図示された例示に制限されない。
【０１１２】
その後、決済サーバー３００は第１決済者識別子および第１販売先識別子と第２決済者識別子および第２販売先識別子をそれぞれ比較して、一致する場合、決済者の決済情報に基づいて決済者に対する決済を進行し、決済結果を販売先用インターフェースユニットおよび決済端末機２００に伝達する。
【０１１３】
前記のような方式によって、決済者用インターフェースユニット１２０により提供されるＱＲコードなどの販売先識別子が動的変更方式の識別子である場合だけでなく、印刷された形態で販売先に付着されるＱＲコードなどの固定識別子である場合にも決済セキュリティ安定性が確保され得る。さらに、決済者識別子は確保しようとする安全性の程度に応じて決済者が使う決済サービスの会員ＩＤ、電話番号、ニックネームおよび人的情報を含む決済者情報のうち一つ以上の情報を活用してもよい。または決済者識別子は決済者情報のうちいずれか一つの情報を全体としてまたは部分として活用してもよい。例えば、決済者識別子の入力を簡素化する方法として電話番号の４桁（例：最後の４桁）を決済者識別子として活用してもよく、安全性を強化する方法として電話番号の全体を決済者識別子として活用してもよい。
【０１１４】
一方、本実施例は図１１に図示された例示のように、決済者用インターフェースユニット１２０が決済端末機２００から決済者識別子の伝達を受ける実施例で具現されてもよく、これに伴い、決済サーバー３００は販売者用インターフェースユニット１１０から伝達を受ける第１決済者識別子および第１販売先識別子と決済者用インターフェースユニット１２０から伝達を受ける第２決済者識別子および第２販売先識別子をそれぞれ比較して、一致する場合にのみ決済者に対する決済を進行してもよい（ここでは、第２決済者識別子および第２販売先識別子が決済者用インターフェースユニット１２０から伝達される決済者識別子および販売先識別子と定義される）。前記の実施例を通じて、ＱＲコードなどの決済者識別子が固定された識別子である場合、悪意によって複製および変更されることを防止することができる。
【０１１５】
ここで、図１０および図１１の実施例で販売者用インターフェースユニット１１０が第１決済者識別子を獲得する方法を説明すると、非オンライン方式として、販売先の計算係員が決済者から口頭で第１決済者識別子の伝達を受けたり、第１決済者識別子が表記された媒体（例：サービス会員カード）の提示を受けて第１決済者識別子を入手して販売者用インターフェースユニット１１０に入力する方式を通じて、販売者用インターフェースユニット１１０は第１決済者識別子を獲得することができる。オンライン方式として、第１決済者識別子が保存された別途のＩＣチップが販売者用インターフェースユニット１１０の第１入力部１１１にタギングされる方式を通じて、販売者用インターフェースユニット１１０が第１決済者識別子を獲得してもよい。一方、決済者識別子は決済サーバー３００の会員情報照会プロセスによって決済者識別子の一致の有無の確認に必要な情報がさらに存在する場合に検索および照会され得る。
【０１１６】
一方、図１０による実施例で、決済サーバー３００は第１販売先識別子が決済者用インターフェースユニット１２０により変調されて生成された変調識別子を決済端末機２００を通じて伝達を受け、第２決済者識別子および伝達を受けた変調識別子を復調して抽出される第２販売先識別子を第１決済者識別子および第１販売先識別子とそれぞれ比較することができる。
【０１１７】
さらに、変調識別子には決済者用インターフェースユニット１２０により変調される時点での時間基盤キーが反映されていてもよく、これに伴い、決済サーバー３００は第２決済者識別子および変調識別子を復調して抽出される第２販売先識別子を第１決済者識別子および第１販売先識別子とそれぞれ比較して一致する場合であって、変調識別子を復調して抽出された時間基盤キーの値と復調時点での時間の値との間の差があらかじめ設定された許容範囲以内である場合にのみ決済者に対する決済を進行することができる。
【０１１８】
この時、変調識別子は非可聴域変調音波として生成され得る。
【０１１９】
前述した実施例を、変調識別子が非可聴域変調音波として生成される例示として、図１２〜１４を参照して具体的に説明する。
【０１２０】
図１２を参照すると、決済サーバー３００は第１販売先識別子が決済者用インターフェースユニット１２０により変調されて生成された変調識別子を決済端末機２００を通じて伝達を受けることができる。ここで、決済者用インターフェースユニット１２０は第１販売先識別子を変調して変調識別子としての非可聴域変調音波を生成した後、第２出力部（１２０、例：音波出力装置）を通じて決済端末機２００に伝達することができる。これに伴い、決済端末機２００は受信した非可聴域変調音波を第２決済者識別子とともに決済サーバー３００に伝達することができる。
【０１２１】
そして、決済サーバー３００は第１決済者識別子、第１販売先識別子および決済者の決済情報を販売者用インターフェースユニット１１０から伝達を受ける。
【０１２２】
その後、決済サーバー３００は第２決済者識別子および伝達を受けた変調識別子を復調して抽出される第２販売先識別子（第１販売先識別子を変調して生成された変調識別子を復調して抽出されるものであって、正常決済状況では第１販売先識別子と一致し、決済端末機２００から伝達を受ける販売先識別子を意味することを明確にするために、第２販売先識別子と表記する）を第１決済者識別子および第１販売先識別子とそれぞれ比較して、一致する場合に決済者の決済情報に基づいて決済者に対する決済を進行し、決済結果を販売先用インターフェースユニットおよび決済端末機２００に伝達する。
【０１２３】
この時、前述したように変調識別子には決済者用インターフェースユニット１２０により変調される時点での時間基盤キーが反映されていてもよい。
【０１２４】
図１３を参照して具体的な例を挙げて説明すると、決済者用インターフェースユニット１２０は、第１販売先識別子を変調する時、変調時点での時間基盤キー（Ｔｉｍｅ  ｂａｓｅｄ  Ｋｅｙ）を反映して非可聴域変調音波としての変調識別子を生成することができる。したがって、非可聴域変調音波は変調時点での時間が反映されているため一回性の特性を有するようになり、悪意で複製して決済を遂行しようとする場合、その決済を無効にできる特性を有するようになる。
【０１２５】
これに伴い、決済サーバー３００は第２決済者識別子および変調識別子を復調して抽出される第２販売先識別子を第１決済者識別子および第１販売先識別子とそれぞれ比較して一致する場合であって、変調識別子を復調して抽出された時間基盤キーの値と復調時点での時間の値との間の差があらかじめ設定された許容範囲以内である場合にのみ決済者に対する決済を進行することができる。
【０１２６】
すなわち、第１決済者識別子および第１販売先識別子と第２決済者識別子および第２販売先識別子がそれぞれ一致するとともに、変調識別子を復調して抽出された時間基盤キーの値と復調時点での時間の値も一致すると確認された場合にのみ決済サーバー３００は決済者の決済を進行するように動作することができ、ただし、決済者用インターフェースユニット１２０の変調時点と決済サーバー３００の復調時点間には所定の時間差があり得るため、決済サーバー３００は変調識別子を復調して抽出された時間基盤キーの値と復調時点での時間の値との間の差があらかじめ設定された許容範囲以内である場合にのみ決済者に対する決済を進行することができる。許容範囲は通常の通信遅延時間を考慮して適切に設計されて決済サーバー３００にあらかじめ設定されていてもよい。
【０１２７】
これに伴い、変調識別子を復調して抽出された時間基盤キーの値と復調時点での時間の値との間の差が許容範囲を逸脱する場合には決済サーバー３００は該当決済要請を無効と見なして決済を進行しない。
【０１２８】
さらに、図１４に図示されたように、販売者用インターフェースユニット１１０は電子的なオンライン方式により、第１決済者識別子が保存された別途のＩＣチップが販売者用インターフェースユニット１１０の第１入力部１１１にタギングされる方式を通じて第１決済者識別子を獲得することができるため、決済者用インターフェースユニット１２０の第１販売先識別子の無欠性に関わらず決済セキュリティを確保できるとともに、第１販売先識別子および第２販売先識別子の一致の有無も判断することによって決済セキュリティをさらに向上させることができる。
【０１２９】
一方、前述した実施例では決済者用インターフェースユニット１２０が変調識別子を生成する実施例で説明されたが、実施例によっては図１５に図示されたように、決済インターフェース装置１００が販売先識別子（第１販売先識別子）および時間基盤キーを含む販売先の動的情報を決済サーバー３００に伝達し、決済サーバー３００が伝達を受けた動的情報を変調して変調識別子（例：非可聴域変調音波）を生成した後、決済インターフェース装置１００に伝達する実施例で具現されてもよい。この時、決済サーバー３００はその下位サーバーとして変調識別子を生成する認証サーバーを含んでもよい。
【０１３０】
また、販売先の動的情報を活用する図１５の例示とは異なって、決済サーバー３００の動的情報を活用する実施例が存在し得る。すなわち、図１６に図示されたように決済サーバー３００が決済サーバー３００の動的情報（すなわち、時間情報）が反映された変調識別子（例：非可聴域変調音波）を生成して決済インターフェース装置１００に伝達し、決済インターフェース装置１００から出力される変調識別子を決済端末機２００が受信して決済者の決済情報とともに決済サーバー３００に伝達することができる。その後、決済サーバー３００は決済端末機２００から伝達された変調識別子を復調した後、変調時点での時間と復調時点での時間差が許容範囲以内であるかを判断して有効性を判断することによって、前記時間差が許容範囲以内である場合にのみ決済者の決済を進行することができる。
【０１３１】
図１７は、本発明の第４実施例に係る決済方法を説明するための例示図である。
【０１３２】
図１７を参照して本発明の第４実施例に係る決済方法を説明すると、まず決済サーバー３００は決済者に対する識別情報である第１決済者識別子と、販売先に対する識別情報である第１販売先識別子を販売者用インターフェースユニット１１０から伝達を受けるＳ１７１０。
【０１３３】
引き続き、決済サーバー３００は正常決済状況で第１決済者識別子および第１販売先識別子とそれぞれ一致する第２決済者識別子および第２販売先識別子を決済端末機２００から伝達を受けるＳ１７２０。
【０１３４】
引き続き、決済サーバー３００は第１決済者識別子および第１販売先識別子と第２決済者識別子および第２販売先識別子をそれぞれ比較して、一致する場合にのみ決済者の決済情報に基づいて決済者に対する決済を進行するＳ１７３０。
【０１３５】
Ｓ１７２０段階で、決済サーバー３００は第１販売先識別子が決済者用インターフェースユニット１２０により変調されて生成された変調識別子を決済端末機２００を通じて伝達を受けることができ、これに伴い、Ｓ１７３０段階で決済サーバー３００は第２決済者識別子および伝達を受けた変調識別子を復調して抽出される第２販売先識別子を第１決済者識別子および第１販売先識別子とそれぞれ比較することができる。
【０１３６】
さらに、変調識別子には決済者用インターフェースユニット１２０により変調される時点での時間基盤キーが反映されていてもよく、これに伴い、Ｓ１７３０段階で決済サーバー３００は、第２決済者識別子および変調識別子を復調して抽出される第２販売先識別子を第１決済者識別子および第１販売先識別子とそれぞれ比較して一致する場合であって、変調識別子を復調して抽出された時間基盤キーの値と復調時点での時間の値との間の差があらかじめ設定された許容範囲以内である場合にのみ決済者に対する決済を進行することができる。
【０１３７】
前述した実施例では販売先端末機決済要請方式で決済者用インターフェースユニット１２０が変調識別子を生成する実施例を決済サーバー３００を中心に説明したが、実施例によっては決済者端末機決済要請方式で販売者用インターフェースユニット１１０が変調識別子を生成する実施例で具現されてもよい。図１８〜図２０は本発明の第４実施例に係る決済インターフェース装置１００の動作を説明するための例示図であって、図１８〜図２０を参照して具体的に説明する。
【０１３８】
販売者用インターフェースユニット１１０は、商品を購入した決済者の識別情報である決済者識別子、決済者の決済情報、および販売先に対する識別情報である販売先識別子を変調して変調識別子を生成することができる。
【０１３９】
決済者用インターフェースユニット１２０は決済者が所持した決済端末機２００が変調識別子を認識して決済者に対する決済を決済サーバー３００に要請することによって、決済サーバー３００が変調識別子を復調して決済者に対する決済を進行できるように、販売者用インターフェースユニット１１０から伝達を受けた変調識別子を伝送することができる。
【０１４０】
図１８を参照して具体的な例を挙げて説明すると、販売者用インターフェースユニット１１０は決済者識別子、決済情報および販売先識別子を変調して変調識別子を生成した後に決済者用インターフェースユニット１２０に伝達することができ、決済者用インターフェースユニット１２０は伝達された変調識別子を出力することができる。これに伴い、決済端末機２００は決済者用インターフェースユニット１２０から出力される変調識別子を獲得して決済サーバー３００に伝達することができ、決済サーバー３００は伝達を受けた変調識別子を復調して決済者に対する決済を進行することができる。
【０１４１】
図１８の実施例は複数の決済者に対する決済を進行する場合にも適用され得る。具体的には、決済者は第１および第２決済者を含み（すなわち、複数の決済者を含むことができ）、決済端末機２００は第１および第２決済者がそれぞれ所持した第１および第２決済端末機２１０、２２０を含むことができる。
【０１４２】
これに伴い、販売者用インターフェースユニット１１０は第１決済者の識別情報である第１決済者識別子、第１決済者の決済情報、および販売先識別子を変調して第１変調識別子を生成し、第２決済者の識別情報である第２決済者識別子、第２決済者の決済情報、および販売先識別子を変調して第２変調識別子を生成することができる。
【０１４３】
決済者用インターフェースユニット１２０は第１および第２決済端末機２１０、２２０が第１および第２変調識別子をそれぞれ認識して第１および第２決済者に対する決済を決済サーバー３００に要請することによって、決済サーバー３００が第１および第２変調識別子を復調して第１および第２決済者に対する決済を進行できるように、販売者用インターフェースユニット１１０から伝達を受けた第１および第２変調識別子を伝送することができる。
【０１４４】
図１９を参照して具体的な例を挙げて説明すると、販売者用インターフェースユニット１１０は第１決済者識別子、第１決済者の決済情報（第１決済情報）および販売先識別子を変調して第１変調識別子を生成した後に決済者用インターフェースユニット１２０に伝達することができ、決済者用インターフェースユニット１２０は伝達された第１変調識別子を出力することができる。これに伴い、第１決済端末機２１０は決済者用インターフェースユニット１２０から出力される第１変調識別子を獲得して決済サーバー３００に伝達することができ、決済サーバー３００は伝達された第１変調識別子を復調して第１決済者に対する決済を進行することができる。この時、第１決済者識別子が非可聴域音波の形態である場合、第１決済端末機２１０は第１変調識別子を獲得して第１決済者識別子に該当する音波パターンを抽出した後、保有している非可聴域音波形態の決済者識別子とマッチングして一致する場合にのみ第１変調識別子を決済サーバー３００に伝達することができる。
【０１４５】
同様に、販売者用インターフェースユニット１１０は第２決済者識別子、第２決済者の決済情報（第２決済情報）および販売先識別子を変調して第２変調識別子を生成した後に決済者用インターフェースユニット１２０に伝達することができ、決済者用インターフェースユニット１２０は伝達された第２変調識別子を出力することができる。これに伴い、第２決済端末機２２０は決済者用インターフェースユニット１２０から出力される第２変調識別子を獲得して決済サーバー３００に伝達することができ、決済サーバー３００は伝達された第２変調識別子を復調して第２決済者に対する決済を進行することができる。この時、第２決済者識別子が非可聴域音波の形態である場合、第２決済端末機２２０は第２変調識別子を獲得して第２決済者識別子に該当する音波パターンを抽出した後、保有している非可聴域音波形態の決済者識別子とマッチングして一致する場合にのみ第２変調識別子を決済サーバー３００に伝達することができる。
【０１４６】
一方、図１８の実施例は複数の決済サービスによる決済を進行する場合にも適用され得る。具体的には、決済者用インターフェースユニット１２０は第１および第２決済サービスによる決済をそれぞれ遂行するための第１および第２決済者用インターフェースユニット１２０Ａ、１２０Ｂを含むことができる。
【０１４７】
これに伴い、販売者用インターフェースユニット１１０は決済者識別子、決済情報および販売先識別子を、第１決済サービスによるプロトコルと第２決済サービスによるプロトコルに基づいてそれぞれ変調して第１および第２変調識別子をそれぞれ生成することができる。
【０１４８】
決済者用インターフェースユニット１２０は、第１および第２変調識別子のうち決済端末機２００を通じて選択された決済サービスによる変調識別子を認識して決済者に対する決済を選択された決済サービスによる決済サーバー３００に要請できるように、販売者用インターフェースユニット１１０から伝達を受けた第１および第２変調識別子を伝送することができる。
【０１４９】
図２０を参照して具体的な例を挙げて説明すると、販売者用インターフェースユニット１１０は決済者識別子、決済情報および販売先識別子を第１決済サービスによるプロトコルに基づいて変調して第１変調識別子を生成した後に第１決済者用インターフェースユニット１２０Ａに伝達することができ、決済端末機２００は第１決済者用インターフェースユニット１２０Ａから出力される第１変調識別子を獲得することができる。
【０１５０】
同様に、販売者用インターフェースユニット１１０は決済者識別子、決済情報および販売先識別子を第２決済サービスによるプロトコルに基づいて変調して第２変調識別子を生成した後に第２決済者用インターフェースユニット１２０Ｂに伝達することができ、決済端末機２００は第２決済者用インターフェースユニット１２０Ｂから出力される第２変調識別子を獲得することができる。
【０１５１】
この時、決済者が決済端末機２００を通じて第２決済サービスを選択した場合、決済端末機２００は獲得した変調識別子のうち第２変調識別子を第２決済サービスによる第２決済サーバー３２０に伝達することができ、これに伴い、第２決済サーバー３２０は第２変調識別子を復調して決済者に対する決済を進行することができる。
【０１５２】
前記の実施例では決済サーバー３００が変調識別子を復調する構成で説明したが、実施例によっては決済端末機２００が変調識別子を復調して決済サーバーに決済を要請する構成で具現されてもよい。
【０１５３】
第１決済端末機２１０の動作を中心に説明すると、図２１に図示されたように、第１決済端末機２１０が第１変調識別子を獲得し、獲得された第１変調識別子を復調して第１決済者識別子を獲得した後、保有している決済者識別子とマッチングして一致する場合にのみ第１決済情報を決済サーバー３００に伝達して第１決済者の決済を要請してもよい。
【０１５４】
図２２は、本発明の第４実施例に係る決済方法を説明するための例示図である。
【０１５５】
図２２を参照して本発明の第４実施例に係る決済方法を説明すると、販売者用インターフェースユニット１１０は商品を購入した決済者の識別情報である決済者識別子、決済者の決済情報、および販売先に対する識別情報である販売先識別子を変調して変調識別子を生成するＳ２１１０。
【０１５６】
引き続き、決済者用インターフェースユニット１２０は決済者が所持した決済端末機２００が変調識別子を認識して決済者に対する決済を決済サーバー３００に要請することによって、決済サーバー３００が変調識別子を復調して決済者に対する決済を進行できるように、販売者用インターフェースユニット１１０から伝達を受けた変調識別子を伝送するＳ２１２０。
【０１５７】
このように本実施例は、販売先に備えられる販売先端末機を販売先の計算係員と購買決済者のためのインターフェース装置に区分して具現することによってその決済の便宜性を改善することができ、購買決済者から伝達される販売先の識別コードが販売先端末機から出力された実際の識別コードに該当するものであるかを確認するシステムを採用することによって決済セキュリティを向上させることができる。
【０１５８】
以上、本発明は図面に図示された実施例を参照して説明されたが、これは例示的なものに過ぎず、当該技術が属する分野で通常の知識を有する者であればこれから多様な変形および均等な他の実施例が可能であることが理解できるであろう。したがって、本発明の技術的保護範囲は下記の特許請求の範囲によって定められるべきである。
【図１】
2021522634.tif 000003
【図２】
2021522634.tif 000004
【図３】
2021522634.tif 000005
【図４】
2021522634.tif 000006
【図５】
2021522634.tif 000007
【図６】
2021522634.tif 000008
【図７】
2021522634.tif 000009
【図８】
2021522634.tif 000010
【図９】
2021522634.tif 000011
【図１０】
2021522634.tif 000012
【図１１】
2021522634.tif 000013
【図１２】
2021522634.tif 000014
【図１３】
2021522634.tif 000015
【図１４】
2021522634.tif 000016
【図１５】
2021522634.tif 000017
【図１６】
2021522634.tif 000018
【図１７】
2021522634.tif 000019
【図１８】
2021522634.tif 000020
【図１９】
2021522634.tif 000021
【図２０】
2021522634.tif 000022
【図２１】
2021522634.tif 000023
【図２２】
2021522634.tif 000024
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
商品を購入した決済者が所持した決済端末機から前記決済者の識別情報である決済者識別子を獲得し、前記獲得された決済者識別子とマッチングされるように前記決済者の決済情報の入力を受け、前記入力された決済情報に基づいて前記決済者に対する決済を決済サーバーに要請する販売者用インターフェースユニット；および
前記販売者用インターフェースユニットと分離可能であり、前記販売者用インターフェースユニットに入力された決済情報を前記決済者に提供する決済者用インターフェースユニット；を含むことを特徴とする、決済インターフェース装置。
【請求項２】
前記販売者用インターフェースユニットは、前記決済端末機から獲得される決済者識別子を出力して前記出力された決済者識別子とマッチングされるように前記決済情報の入力を受ける方式、または前記決済端末機から獲得される決済者識別子をあらかじめ決定されたタイプの決済者識別子に変換して出力し、前記変換出力された決済者識別子とマッチングされるように前記決済情報の入力を受ける方式を通じて前記決済情報の入力を受けることを特徴とする、請求項１に記載の決済インターフェース装置。
【請求項３】
前記販売者用インターフェースユニットは、前記獲得された決済者識別子に基づいて一つ以上の決済サービスとの連動のための一つ以上のサービス連動決済者識別子を生成し、前記生成された一つ以上のサービス連動決済者識別子のうち販売者によって選択されたサービス連動決済者識別子とマッチングされるように前記決済者の決済情報の入力を受けることを特徴とする、請求項１に記載の決済インターフェース装置。
【請求項４】
前記販売者用インターフェースユニットは、前記決済端末機に出力される決済者識別子を獲得した前記決済者用インターフェースユニットから前記決済者識別子の伝達を受けるか、前記決済端末機から前記決済者識別子が直接伝送されて獲得することを特徴とする、請求項１に記載の決済インターフェース装置。
【請求項５】
販売者用インターフェースユニットおよび決済者用インターフェースユニットを含む決済インターフェース装置と、商品を購入した決済者が所持した決済端末機と通信して前記決済者に対する決済を進行する決済サーバーであって、
前記決済者に対する識別情報である第１決済者識別子と、販売先に対する識別情報である第１販売先識別子を前記販売者用インターフェースユニットから伝達を受け、
正常決済状況で前記第１決済者識別子および前記第１販売先識別子とそれぞれ一致する第２決済者識別子および第２販売先識別子を前記決済端末機から伝達を受け、
前記第１決済者識別子および前記第１販売先識別子と前記第２決済者識別子および前記第２販売先識別子をそれぞれ比較して、一致する場合にのみ前記決済者の決済情報に基づいて前記決済者に対する決済を進行することを特徴とする、決済サーバー。
【請求項６】
前記決済サーバーは、前記第１販売先識別子が前記決済者用インターフェースユニットによって変調されて生成された変調識別子を前記決済端末機を通じて伝達を受け、前記第２決済者識別子および前記伝達を受けた変調識別子を復調して抽出される前記第２販売先識別子を前記第１決済者識別子および前記第１販売先識別子とそれぞれ比較することを特徴とする、請求項５に記載の決済サーバー。
【請求項７】
前記変調識別子には前記決済者用インターフェースユニットによって変調される時点での時間基盤キーが反映されており、
前記決済サーバーは、前記第２決済者識別子および前記変調識別子を復調して抽出される前記第２販売先識別子を前記第１決済者識別子および前記第１販売先識別子とそれぞれ比較して一致する場合であって、前記変調識別子を復調して抽出された前記時間基盤キーの値と復調時点での時間の値との間の差があらかじめ設定された許容範囲以内である場合にのみ前記決済者に対する決済を進行することを特徴とする、請求項６に記載の決済サーバー。
【請求項８】
前記変調識別子は、非可聴域変調音波として生成されることを特徴とする、請求項７に記載の決済サーバー。
【請求項９】
前記決済サーバーは、前記販売者用インターフェースユニット、前記決済者用インターフェースユニットおよび前記決済端末機のうちいずれか一つから前記決済者の決済情報の伝達を受けることによって前記決済者に対する決済が要請されることを特徴とする、請求項５に記載の決済サーバー。
【請求項１０】
商品を購入した決済者の識別情報である決済者識別子、前記決済者の決済情報、および販売先に対する識別情報である販売先識別子を変調して変調識別子を生成する販売者用インターフェースユニット；および
前記決済者が所持した決済端末機が前記変調識別子を認識して前記決済者に対する決済を決済サーバーに要請することによって、前記決済サーバーが前記変調識別子を復調して前記決済者に対する決済を進行できるように、前記販売者用インターフェースユニットから伝達を受けた前記変調識別子を伝送する決済者用インターフェースユニット；を含むことを特徴とする、決済インターフェース装置。
【請求項１１】
前記決済者は第１および第２決済者を含み、前記決済端末機は前記第１および第２決済者がそれぞれ所持した第１および第２決済端末機を含み、
前記販売者用インターフェースユニットは、前記第１決済者の識別情報である第１決済者識別子、前記第１決済者の決済情報、および前記販売先識別子を変調して第１変調識別子を生成し、前記第２決済者の識別情報である第２決済者識別子、前記第２決済者の決済情報、および前記販売先識別子を変調して第２変調識別子を生成し、
前記決済者用インターフェースユニットは、前記第１および第２決済端末機が前記第１および第２変調識別子をそれぞれ認識して前記第１および第２決済者に対する決済を前記決済サーバーに要請することによって、前記決済サーバーが前記第１および第２変調識別子を復調して前記第１および第２決済者に対する決済を進行できるように、前記販売者用インターフェースユニットから伝達を受けた前記第１および第２変調識別子を伝送することを特徴とする、請求項１０に記載の決済インターフェース装置。
【請求項１２】
前記決済者用インターフェースユニットは、第１および第２決済サービスによる決済をそれぞれ遂行するための第１および第２決済者用インターフェースユニットを含み、
前記販売者用インターフェースユニットは、前記決済者識別子、前記決済情報および前記販売先識別子を、前記第１決済サービスによるプロトコルと前記第２決済サービスによるプロトコルに基づいてそれぞれ変調して第１および第２変調識別子をそれぞれ生成し、
前記決済者用インターフェースユニットは、前記第１および第２変調識別子のうち前記決済端末機を通じて選択された決済サービスによる変調識別子を認識して前記決済者に対する決済を前記選択された決済サービスによる決済サーバーに要請できるように、前記販売者用インターフェースユニットから伝達を受けた前記第１および第２変調識別子を伝送することを特徴とする、請求項１１に記載の決済インターフェース装置。
【国際調査報告】
2021522634.tif 000025
2021522634.tif 000026
2021522634.tif 000027
2021522634.tif 000028
2021522634.tif 000029
2021522634.tif 000030